(57)【要約】【課題】法面で作業をする場合、従来は多量のステップを予め作業エリア全体に敷設する必要があった。また、このステップを単に靴に取り付けたのでは一方にしか歩けない。【解決手段】靴Ｓが取り付けられるステップ部２と法面に突き刺さる脚部３とを相対的に回動することができると共に、所定の回動位置で相互に回り止めすることができるようにした。【選択図】  図１
2004147939.tif 000002
【特許請求の範囲】
【請求項１】
法面に食い込む脚部と、この脚部に対して水平方向に回動自在に係合するステップ部とを備え、所定の回動位置でステップ部を脚部に対して係合させるロック機構を設けたことを特徴とする法面歩行具。
【請求項２】
上記脚部に、ステップ部に対して下方から当接する板部を形成し、この板部を貫通する回転軸をステップ部の底面に形成すると共に、この回転軸を介してステップ部を板部に押接させる方向に付勢するばねを設け、かつ板部に複数個形成したストッパ孔とステップ部に突設させこれらストッパ孔の何れかに係合するストッパ片とで上記ロック機構を構成させ、上記ばねの付勢力に抗してステップ部を板部から引き離した状態でステップを回動させると、ストッパ片は他のストッパ孔に係合するようにしたことを特徴とする請求項１記載の法面歩行具。
【発明の詳細な説明】
【０００１】
【発明の属する技術分野】
本発明は、法面の除草その他の作業時に靴に装着して法面を歩行するための法面歩行具に関する。
【０００２】
【従来の技術】
山間道路や鉄道の側面には法面が形成されている場合がある。この法面上で除草作業や土木作業をする際、作業者は法面から滑り降りないように腰に命綱の一端を係合させると共に、命綱の他端を法面の上方の適所に結びつけている。
【０００３】
また、足下が滑らないように水平なステップが形成されるように法面に足場を固定し、作業者はその足場のステップに立って作業を行っている（例えば特許文献１参照）。
【０００４】
【特許文献１】
特開平５−３４００８２号公報（図１および図２）
【０００５】
【発明が解決しようとする課題】
上記従来のステップでは、法面にステップを固定しているので、作業するエリア全体に予めステップを敷設しなければならず、作業員のの人数が少なくても多量のステップを敷設しなければならない。
【０００６】
また、例えば法面の除草作業を行う場合には、除草していないエリアにはステップを敷設しにくいので、作業エリアの端にまずステップを敷設し、そのステップから作業できる範囲の除草を終えると、除草した範囲に新たにステップを敷設するという作業を繰り返さなければならい。このため作業効率はきわめて悪い。
【０００７】
ところで、雪山登山等に使用されるアイゼンのように、上記ステップを靴に縛り付けることも考えられる。ところが、このステップを靴に取り付けただけでは法面を一方方向に歩行することは可能となるが、逆方向には歩くことができず、きわめて不便である。
【０００８】
そこで本発明は、上記の問題点に鑑み、法面を自由に歩行することのできる法面歩行具を提供することを課題とする。
【０００９】
【課題を解決するための手段】
上記課題を解決するために本発明による法面歩行具は、法面に食い込む脚部と、この脚部に対して水平方向に回動自在に係合するステップ部とを備え、所定の回動位置でステップ部を脚部に対して係合させるロック機構を設けたことを特徴とする。
【００１０】
上記構成によれば、ステップ部に靴を載せて法面歩行具を靴に取り付ければ、従来のもののように多くのステップを予め法面に敷設しなくても法面を歩行することができる。また、歩行方向を変更する場合にはステップ部を回動させて進みたい方向に靴が向くようにしてステップ部を脚部にロックすればよい。
【００１１】
ところで、上記脚部に、ステップ部に対して下方から当接する板部を形成し、この板部を貫通する回転軸をステップ部の底面に形成すると共に、この回転軸を介してステップ部を板部に押接させる方向に付勢するばねを設け、かつ板部に複数個形成したストッパ孔とステップ部に突設させこれらストッパ孔の何れかに係合するストッパ片とで上記ロック機構を構成させ、上記ばねの付勢力に抗してステップ部を板部から引き離した状態でステップを回動させると、ストッパ片は他のストッパ孔に係合するように構成すれば、靴とステップ部とを係合させたままの状態で脚部をステップ部に対して相対的に回転させることができるので簡単に進行方向を変更することができる。
【００１２】
【発明の実施の形態】
図１から図３を参照して、１は本発明による法面歩行具１は作業者の靴Ｓが載置されるステップ部２と、このステップ部２の下方に連結された脚部３とから構成されている。
【００１３】
ステップ部２には左右から靴Ｓを挟む側板部２１，２２と踵を位置決めする後板部２３とが上方に曲げ起こされている。そしてこれら側板部２１，２２と後板部２３とで囲まれた範囲に靴Ｓを入れ、ベルト等で靴Ｓがステップ部２から脱落しないようにしている。また、ステップ部２の中央部分には靴Ｓが載置される水平な底板部２４が形成されている。
【００１４】
一方、脚部３にはこの底板部２４の下面に当接する板部３１が形成されている。底板部２４の下面中央には回転軸４が溶接されており、この回転軸４は板部３１の中央に形成された開口４１を貫通している。また、回転軸４にはばね４２が取り付けられており、このばね４２の付勢力によってステップ部２の底板部２４は板部３１に押接されている。
【００１５】
底板部２４の下面には本実施の形態では１個のストッパ片５が固定されている。そして、板部３１にはこのストッパ片５が係合するストッパ孔５１が開設されている。このストッパ孔５１は開口４１を中心とする円周上に、本実施の形態では等間隔に４個形成した。したがって、ステップ部２に靴Ｓを取り付けたまま脚部３からステップ部２を引き上げると、ストッパ片５がストッパ孔５１から外れて回転軸４を中心に脚部３を回転させることができる。
【００１６】
上述のように、ストッパ孔５１は等間隔に４個形成しているので、脚部３に対するステップ部２の姿勢を、図３に示すように、９０度ごとに４方向の何れかにセットすることができる。
【００１７】
なお、脚部３は線材で形成されており、先端３２が法面に刺さってこの法面歩行具１が下方にずり下がることを防止している。また、各先端３２の上方にはほぼ四角形の接地部３が溶接されている。この接地部３を溶接することにより、脚部の強度が増すと共に、接地部３３が法面Ｇの表面に当たって、先端３２がそれ以上法面Ｇに突き刺さらないようにしている。
【００１８】
なお、本実施の形態ではこの接地部３２を溶接したが、法面の傾斜角度に合わせて接地部３３の角度を変更し得るように構成してもよい。また、図４に示すように、板部３１に筒状のガイド６を溶接し、このガイド６に回転軸７を挿入してもよい。なお、回転軸７に形成したストッパ孔７１にストッパ片８を係合させて位置決めを行うようにした。
【００１９】
【発明の効果】
以上の説明から明らかなように、本発明は、靴に装着することができ、かつ、靴が取り付けられるステップ部と法面に突き刺さる脚部とが相対的に回動することができるので、法面で作業するものは法面を自由にどの方向にも歩行することができる。
【図面の簡単な説明】
【図１】本発明の一実施の形態の構成を示す図
【図２】回転部分の構造を示す断面図
【図３】平面図
【図４】他の実施の形態による断面図
【符号の説明】
１  法面歩行具
２  ステップ部
３  脚部
４  回転軸
５  ストッパ片
６  ガイド
７  回転軸
８  ストッパ片
【図１】
2004147939.tif 000003
【図２】
2004147939.tif 000004
【図３】
2004147939.tif 000005
【図４】
2004147939.tif 000006